(57)【要約】【課題】養生ネットを取り外すことなく足場を昇降させることにより、足場の昇降時にも、建設作業時に発生するゴミ等の外部への飛散防止や落下養生を継続して実現でき、大型の昇降装置を必要とせず、簡単な構成で実現でき、製造および運転コストを低く抑えることが出来るクライミング足場を提供する。【解決手段】躯体に対して固定部材で着脱自在に固定する吊足場１を間隔を存して配置し、吊足場１に躯体との間に架渡して吊足場自体を引き上げる引き上げ手段６を設け、隣り合う吊足場１同士を端部を軸着する伸縮自在の杆体２により回動自在に連結し、吊足場１全面及び吊足場１間を覆う養生ネット５を吊足場１及び伸縮自在の杆体２の両方により吊支する。【選択図】        図１２
2006161432.tif 000002
【特許請求の範囲】
【請求項１】
躯体に対して固定部材で着脱自在に固定する吊足場を間隔を存して配置し、吊足場に躯体との間に架渡して吊足場自体を引き上げる引き上げ手段を設け、隣り合う吊足場同士を端部を軸着する伸縮自在の杆体により回動自在に連結し、吊足場全面及び吊足場間を覆う養生ネットを吊足場及び伸縮自在の杆体の両方により吊支することを特徴とするクライミング足場。
【請求項２】
伸縮自在の杆体は、外管に対して内管がスライドする２重管構造であり、軸孔を有するフランジをその両端に設け、その軸孔に、吊足場の左右両端に設ける回動軸を挿入する請求項１記載のクライミング足場。
【請求項３】
前記引き上げ手段は、躯体及び吊足場に対して着脱自在であって、躯体と吊足場との間に架渡す索条と、この索条を巻き上げる巻上げ手段とからなり、巻上げ手段の重量は４０ｋｇ以下である請求項１または請求項２記載のクライミング足場。
【請求項４】
前記巻上げ手段は、その本体部分から延びるコードの先端に設ける操作部により、躯体から遠隔操作可能な電動チェーンブロックである請求項３記載のクライミング足場。
【発明の詳細な説明】
【技術分野】
【０００１】
本発明は、高層建築物，超高層建築物を構築する際に使用される外部足場に関し、特に昇降手段を備えるクライミング足場に関するものである。
【背景技術】
【０００２】
従来は一般に、中高層の建物を構築する際の外部足場は、その外部足場を適用する工事毎に設計・製作されていた。そのため、時間やコストがかかるだけでなく、転用ができないため、作業完了後は廃棄されていた。
【０００３】
また、従来の外部足場は、上階作業のための盛替えをタワークレーンにより行っていたため、その間、タワークレーンを他の揚重作業に使用することができず、工期を短縮することができなかった。また、盛替え作業時に外部足場を覆う養生ネットを取り外すと、建設途中の建築物から、建設作業により生じたゴミ等が飛散してしまう可能性もある。
【０００４】
そこで下記特許文献において開示されているように、例えば自動昇降装置に足場支持枠を取付けて、外部足場を昇降移動させるものがあった。
【特許文献１】特開２００１−１０６４８６号公報
【０００５】
これは図１５に示すように、ガイド枠体２２と昇降基体２３を、互いに上下方向にスライド自在に係合し、一方にモーター１４で回動するネジ軸１６を上下方向に沿って回動自在に支持し、他方に、このネジ軸１６が螺入するナット２０を固定する。ガイド枠体２２と昇降基体２３のいずれかに、ネット支持枠や足場支持枠などの仮設部材を取り付け、いずれか一方を建築物の躯体に係止し、他方をモーター１４の正、逆回転で昇降させ、これを交互に繰り返すことによって、仮設部材を建築物の外側面に沿って昇降させるものである。
【発明の開示】
【発明が解決しようとする課題】
【０００６】
従来のこのようなクライミング足場はいずれも、建築物を囲む足場に養生ネットをかけたままの状態で、足場全体及び養生ネット全体を一度に昇降させることから、足場の盛り替え時に養生ネットを外す必要がなく、建築作業により生じたゴミ等の飛散を継続して防止できるが、足場全体と養生ネット全体の重量に耐え得るだけの大型の昇降装置が必要となり、製造および運転コストが高くなるという問題があった。
【０００７】
本発明の目的は前記従来例の不都合を解消し、養生ネットを取り外すことなく足場を昇降させることにより、足場の昇降時にも、建設作業時に発生するゴミ等の外部への飛散防止や落下養生を継続して実現でき、大型の昇降装置を必要とせず、簡単な構成で実現でき、製造および運転コストを低く抑えることが出来るクライミング足場を提供することにある。
【課題を解決するための手段】
【０００８】
本発明は前記目的を達成するため、請求項１記載の発明は、躯体に対して固定部材で着脱自在に固定する吊足場を間隔を存して配置し、吊足場に躯体との間に架渡して吊足場自体を引き上げる引き上げ手段を設け、隣り合う吊足場同士を端部を軸着する伸縮自在の杆体により回動自在に連結し、吊足場全面及び吊足場間を覆う養生ネットを吊足場及び伸縮自在の杆体の両方により吊支することを要旨とするものである。
【０００９】
請求項１記載の本発明によれば、間隔を存して配置した吊足場を一つずつ昇降させることが出来るから、昇降時に大きな負荷がかかることがなく、大型の昇降装置を必要とせず、製造および運転コストを低く抑えることが出来る。なお、１の吊足場を引き上げると、それと隣り合う吊足場との間に高低差が生じるが、隣り合う吊足場同士を端部を軸着する伸縮自在の杆体により回動自在に連結するようにしたから、伸縮自在の杆体の端部は各吊足場の昇降による制約を受けずに回動して、伸縮自在の杆体全体が傾いて伸長し、隣り合う吊足場同士を常に連結することが出来る。
【００１０】
そして、このような伸縮自在の杆体と吊足場との両方により、吊足場全面及び吊足場間を覆う養生ネットを吊支するようにしたから、吊足場の盛り替え作業時にも常に伸縮自在の杆体と吊足場との両方で養生ネットを吊支することができ、養生ネットをつけたままの状態で吊足場を昇降させることができるから、吊足場の昇降時にも、建設作業時に発生するゴミ等の外部への飛散防止や落下養生を継続して実現できる。
【００１１】
そして、躯体に対して吊足場を着脱自在に固定する固定部材と、吊足場自体を引き上げる引き上げ手段と、伸縮自在の杆体という簡単な構成により、これを実現することが出来る。
【００１２】
請求項２記載の発明は、伸縮自在の杆体は、外管に対して内管がスライドする２重管構造であり、軸孔を有するフランジをその両端に設け、その軸孔に、吊足場の左右両端に設ける回動軸を挿入することを要旨とするものである。
【００１３】
請求項２記載の本発明によれば、伸縮自在の杆体を外管と内管との２重管構造としたから、伸縮時にも撓むことなく常に養生ネットを吊支することができる。また、この伸縮自在の杆体の両端に軸孔を有するフランジを設け、その軸孔に、吊足場の左右両端に設ける回動軸を挿入するようにしたから、伸縮自在の杆体及びこの杆体と吊足場との連結構造を、容易な構成で実現することが出来る。
【００１４】
請求項３記載の発明は、前記引き上げ手段は、躯体及び吊足場に対して着脱自在であって、躯体と吊足場との間に架渡す索条と、この索条を巻き上げる巻上げ手段とからなり、巻上げ手段の重量は４０ｋｇ以下であることを要旨とするものである。
【００１５】
請求項３記載の本発明によれば、前記引き上げ手段は、躯体及び吊足場に対して着脱自在であり、且つ、この引き上げ手段の構成要素のうち、最も重量が大きくなりがちな巻上げ手段の重量を４０ｋｇ以下としたから、吊足場を順次引き上げる作業に合わせて引き上げ手段を取り外し、持ち運んで付け替えることができる。すなわち、各吊足場毎に引き上げ手段を設ける必要がなく、設備のコストを抑えることが出来る。また、躯体と吊足場との間に架渡す索条と、この索条を巻き上げる巻上げ手段という簡単な構成により、吊足場を引き上げることができる。
【００１６】
請求項４記載の発明は、前記巻上げ手段は、その本体部分から延びるコードの先端に設ける操作部により、躯体から遠隔操作可能な電動チェーンブロックであることを要旨とするものである。
【００１７】
請求項４記載の本発明によれば、巻上げ手段として市販の電動チェーンブロックを使用することが出来、また、電動チェーンブロックの本体部分から延びるコードの先端に設ける操作部により、躯体から遠隔操作可能であるから、吊足場の引き上げ時には操作者は躯体側に退避して、安全且つ確実に吊足場を引き上げることが出来る。
【発明の効果】
【００１８】
本発明のクライミング足場は、養生ネットを取り外すことなく足場を昇降させることにより、足場の昇降時にも、建設作業時に発生するゴミ等の外部への飛散防止や落下養生を継続して実現でき、大型の昇降装置を必要とせず、簡単な構成で実現でき、製造および運転コストを低く抑えることが出来る。
【発明を実施するための最良の形態】
【００１９】
以下、図面について本発明の実施形態を詳細に説明する。図１は本発明のクライミング足場の１実施形態を示す正面図、図２は同上側面図、図３は本発明のクライミング足場を建築物の外周に円弧状に配置した１実施形態を示す平面図である。
【００２０】
図１ないし図３に示すように、本実施形態のクライミング足場は、吊足場１を建設中の建築物の周囲に間隔を存して配置し、建築物の躯体の一部であるベランダ４に対して、固定部材としてのせり上げブラケット３で着脱自在に固定する。そして、隣り合う吊足場１同士を、伸縮自在の杆体２により連結する。
【００２１】
この伸縮自在の杆体２は、吊足場１の端部を軸着することにより、隣り合う吊足場１同士を回動自在に連結するものであり、吊足場１とともに、吊足場１全面及び吊足場１間を覆う養生ネット５を吊支するものである。
【００２２】
この吊足場１は、吊足場１全体の枠となるフレーム１７と、フレーム１７によって少なくとも四隅を支持され、作業者を乗せる布板１０と、フレーム１７に設けるエンド手摺１３、及び、ベランダ４から吊足場１への乗り入れを補助する乗り入れ手摺１２とを有し、更に必要に応じて階段７を設ける。また、上下方向に伸びる支持柱１９に対して、フレーム１７を接続部１８により接続する。
【００２３】
そしてこの支持柱１９を、ベランダ４に着脱自在に取付けるせり上げブラケット３により把持することによって、吊足場１をベランダ４に着脱自在に固定する。また、吊足場１の最上部に位置する横向きのフレーム１７に吊りピース１５を取付け、建築物の更に上部から吊り下げるように固定する。
【００２４】
そして、吊足場１の最上部に位置する横向きのフレーム１７と、同じく最上部に位置する伸縮自在の杆体２とにより、養生ネット５を吊支する。すなわち、吊足場１全体と吊足場１の間を覆うようにして、養生ネット５を配置する。
【００２５】
また、ベランダ４と吊足場１との間に物が入って落下しないように、ベランダ４と吊足場１との隙間を塞ぐ隙間ゴム１１を、支持柱１９の上下方向に沿って適宜間隔で取付ける。
【００２６】
次に、各構成要素について詳細に説明する。伸縮自在の杆体２の構造は、図４に示すように、伸縮自在の杆体２は吊足場１の左右両端に位置するクランプ８に溶接固定したボルト４０を軸として、その両端を軸着することにより、隣り合う吊足場１間を回動自在に連結するものである。
【００２７】
この伸縮自在の杆体２を縮めた状態を図５に、伸ばした状態を図６及び図７に示す。伸縮自在の杆体２は内管２４及び外管２５の２重管構造であり、その両端にフランジ２６を設ける。また、フランジ２６には、軸孔２７を設ける。なお、図中２８は、養生ネット５を掛けるための吊り輪である。
【００２８】
内管２４のフランジ２６の反対側端付近には、板状の抜け止め２９を溶接して張りつけ、抜け止め２９の部分が突出して拡径するようにする。また、外管２５のフランジ２６の反対側端には、抜け止め２９に係合する縮径凸片２１を形成する。これにより、伸縮自在の杆体２を最大まで伸ばした状態で縮径凸片２１が抜け止め２９に係合し、内管２４が外管２５から抜け落ちることを防ぐことが出来る。
【００２９】
次に、伸縮自在の杆体２を軸着するための軸となるボルト４０付近の構成について説明する。吊足場１の左右両端に設けるクランプ８は、例えば図８及び図９に示すような５０角単クランプであり、吊足場１に取付けた際に伸縮自在の杆体２のフランジと平行となる面に孔を形成し、その孔にボルト４０の頭を嵌入して溶接固定する。
【００３０】
図１０も参照して説明すると、伸縮自在の杆体２のフランジ２６の軸孔（図１０において不図示）に、このボルト４０を挿入し、更にワッシャ４２を嵌め、これらが抜けないようにナット４１を取付ける。これにより、伸縮自在の杆体２がボルト４０を中心に回動自在に軸着される。
【００３１】
次に、ベランダ４に吊足場１を着脱自在に固定する構成について説明する。図１１に示すように、ベランダ４と吊足場１とを着脱自在に固定するせり上げブラケット３は、吊足場１側からベランダ４の奥側に向かってベランダ４上面にほぼ水平に載置するバー３５と、バー３５の吊足場１側に位置してベランダ４の外側（前面）に当接する前面押さえ板３６と、バー３５のベランダ４奥側（背面）に位置してバー３５より下垂する背面押さえ板３７と、ベランダ４の背面に当接させて背面押さえ板３７に取付け、前面押さえ板３６との間でベランダ４を挟むようにしてバー３５をベランダ４に固定するアジャスターボルト３２と、バー３５の上側に取付けて支持柱１９を把持するクランプ３０を備える把持部材３３とからなる。
【００３２】
把持部材３３は上下２本の腕３３ａを有し、それぞれの腕３３ａの先端に、直径４８．６ｍｍの支持柱１９を固定可能なサポートクランプであるクランプ３０を備え、回動軸３４を中心に、バー３５の方向に沿って上下に回動自在に取付けられる。
【００３３】
また、前面押さえ板３６は、支持柱１９を固定せずに囲むよう形成する。なお、図中３１は、アジャスターボルト３２の後端に取付ける高ナットである。
【００３４】
次に、養生ネット５の掛け方について説明する。図１に示すように、養生ネット５は例えば４×１４のラッセルネットであって、１つの吊足場１と、その片側（例えば、図に示すように左側）に連結する伸縮自在の杆体２により吊支する。
【００３５】
このとき、例えば吊足場１の最上部に位置する横向きのフレーム１７と、同じく最上部に位置する伸縮自在の杆体２とを、養生ネット５の上端の網目に貫通させるようにし、更に、吊足場１の最上部に位置する横向きのフレーム１７に紐（不図示）で縛って固定するとともに、最上部に位置する伸縮自在の杆体２の吊り輪２８（図１において不図示）に通した紐で縛って固定する。また、養生ネット５は、１つの吊足場１とその片側の伸縮自在の杆体２全域に渡し、上下方向や幅方向に長さが余った部分は巻くなどして寄せておく。
【００３６】
そして吊足場１間を覆う養生ネット５の左右両端のうち、前記１つの吊足場１側に位置する端付近において、上下に位置する伸縮自在の杆体２間にロープ３９を渡して固定する。このロープ３９は、養生ネット５の網目を通して上下方向に張設するもので、養生ネットのたるみを防ぐものである。また、前記１つの吊足場１の反対側に位置する端は、隣接する吊足場１の端に結束ロープ３８により固定する。
【００３７】
次に、吊足場１を昇降させる引き上げ手段について説明する。図１２に示すように、図中左端に位置する吊足場１には、ベランダ４に固定するＤＣブラケット４４と、ＤＣブラケット４４によってワイヤーロープ４５を介して吊支される電動チェーンブロック４６とが取付けられており、これらＤＣブラケット４４、ワイヤーロープ４５及び巻上げ手段としての電動チェーンブロック４６とにより引き上げ手段６を構成する。
【００３８】
電動チェーンブロック４６は、索条としてのチェーン４６ａを電動モーターにより巻き上げるものであり、例えば９００ｋｇｆ用の１００Ｖ、揚程５ｍ、自重３３ｋｇのものが使用できる。そして電動チェーンブロック４６のチェーン４６ａの下端に長シャックル４７を取付け、長シャックル４７を吊足場１下端の吊り元ピース４８に連結する。そして、このように構成する引き上げ手段６を、吊足場１の左右２箇所に取付ける。
【００３９】
なお、電動チェーンブロック４６を吊支するのはワイヤーロープに限らず、例えばチェーンスリングなどのチェーンであっても良い。また、電動チェーンブロック４６は索条としてのチェーン４６ａを巻き上げるものであるが、索条としてチェーンを使用するものに限らず、ワイヤーを使用するものを巻上げ手段として用いても良い。
【００４０】
次に、動作及び使用方法について、図１３及び図１４も参照して説明する。まず最初の状態は、図１に示すように、各吊足場１は同じ高さで位置しており、各吊足場１の全面及び各吊足場１間は養生ネット５により覆われた状態となっている。
【００４１】
次に図１２に示すように、引き上げ手段６により吊足場１を引き上げる。図１２において、図中左端に位置する吊足場１には、引き上げ手段６が取付けられており、吊足場１を引き上げる際には、まず、せり上げブラケット３のクランプ３０を解除し、把持部材３３を上向きに回動して退避させ、固定を解除する。
【００４２】
次に、ベランダ４に待機する操作者が、この電動チェーンブロック４６本体にコードで接続する操作スイッチ（不図示）を操作して、この電動チェーンブロック４６を駆動することにより、電動チェーンブロック４６のチェーンが巻き上げられて、図中左端に位置する吊足場１が建築物の躯体に対して引き上げられる。
【００４３】
図中左端に位置する吊足場１が引き上げられるに従い、図中左端に位置する吊足場１と図中中央に位置する吊足場１との高さに差が出来、それに伴い、伸縮自在の杆体２の端がボルト４０を中心に回動して傾き、伸縮自在の杆体２の内管２４が外管２５に対してスライド移動し、伸縮自在の杆体２が伸びていく。
【００４４】
そして養生ネット５はネットとしての伸縮性を有するから、吊足場１の引き上げに伴い、養生ネット５も伸びていく。また、養生ネット５は吊足場１全面と吊足場１間を覆った状態で吊足場１及び伸縮自在の杆体２に固定しているから、引き上げられる吊足場１と養生ネット５との間に隙間ができることを防ぐことが出来る。
【００４５】
そして左端の吊足場１を目的とする高さまで引き上げた段階で、せり上げブラケット３の把持部材を元の位置まで回動させて、クランプ３０で支持柱１９を固定し、左端の吊足場１をベランダ４に固定する。
【００４６】
そして次に、図中左端の吊足場１の隣にある、中央の吊足場１を同様にして引き上げる。図１３に示すように、今度は図中中央の吊足場１をベランダ４に固定するせり上げブラケット３の固定を前記と同様にして解除し、中央の吊足場１に引き上げ手段６を持ち運んで付け替え、電動チェーンブロック４６を駆動して、中央の吊足場１を引き上げる。
【００４７】
中央の吊足場１が引き上げられるに伴い、先に伸長していた伸縮自在の杆体２は縮むため、これに伴い養生ネット５の伸びた部分も縮む。一方、中央の吊足場１を挟んで反対側に位置する伸縮自在の杆体２は伸長するから、前記同様、この部分の養生ネット５は伸びていく。そして目的とする高さまで中央の吊足場１を引き上げたら、前記同様にせり上げブラケット３にて中央の吊足場１をベランダ４に固定する。
【００４８】
更に同様にして、図１４に示すように、図中右端の吊足場１も引き上げて、全ての吊足場１の引き上げを完了する。
【００４９】
このようにして、吊足場１全面及び吊足場１間を養生ネット５で覆った状態のまま、市販されている電動チェーンブロック４６等を順次付け替えて使用して、各吊足場１を昇降させることができる。つまり、大型の昇降装置を必要とせず、簡単な構成で本実施例のクライミング足場を実現することができる。これにより、足場の昇降時にも、建設作業時に発生するゴミ等の外部への飛散防止や落下養生を継続して行うことが出来、製造および運転コストも低く抑えることが出来る。
【図面の簡単な説明】
【００５０】
【図１】本発明のクライミング足場の１実施形態を示す正面図である。
【図２】本発明のクライミング足場の１実施形態を示す側面図である。
【図３】本発明のクライミング足場の設置状態の一例を示す平面図である。
【図４】本発明のクライミング足場の伸縮自在の杆体付近を示す平面図である。
【図５】伸縮自在の杆体の縮めた状態を示す正面図である。
【図６】伸縮自在の杆体の伸ばした状態を示す平面図である。
【図７】図６の正面図である。
【図８】吊足場の左右両端に設けるクランプの平面図である。
【図９】クランプの側面図である。
【図１０】伸縮自在の杆体の軸着部分を示す側面図である。
【図１１】せり上げブラケットの取付け状態を示す説明図である。
【図１２】吊足場の引き上げの第１段階を示す正面図である。
【図１３】吊足場の引き上げの第２段階を示す正面図である。
【図１４】吊足場の引き上げの最終段階を示す正面図である。
【図１５】従来のクライミング足場の一例を示す正面図である。
【符号の説明】
【００５１】
１  吊足場                      ２  伸縮自在の杆体
３  せり上げブラケット          ４  ベランダ
５  養生ネット                  ６  引き上げ手段
７  階段                        ８  クランプ
１０  布板                      １１  隙間ゴム
１２  乗り入れ手摺              １３  エンド手摺
１４  モーター                  １５  吊りピース
１６  ネジ軸                    １７  フレーム
１８  接続部                    １９  支持柱
２０  ナット                    ２１  縮径凸片
２２  ガイド枠体                ２３  昇降基体
２４  内管                      ２５  外管
２６  フランジ                  ２７  軸孔
２８  吊り輪                    ２９  抜け止め
３０  クランプ
３１  高ナット                  ３２  アジャスターボルト
３３  把持部材                  ３３ａ  腕
３４  回動軸                    ３５  バー
３６  前面押さえ板              ３７  背面押さえ板
３８  結束ロープ                ３９  ロープ
４０  ボルト                    ４１  ナット
４２  ワッシャ
４４  ＤＣブラケット            ４５  ワイヤーロープ
４６  電動チェーンブロック      ４６ａ  チェーン
４７  長シャックル              ４８  吊り元ピース
【図１】
2006161432.tif 000003
【図２】
2006161432.tif 000004
【図３】
2006161432.tif 000005
【図４】
2006161432.tif 000006
【図５】
2006161432.tif 000007
【図６】
2006161432.tif 000008
【図７】
2006161432.tif 000009
【図８】
2006161432.tif 000010
【図９】
2006161432.tif 000011
【図１０】
2006161432.tif 000012
【図１１】
2006161432.tif 000013
【図１２】
2006161432.tif 000014
【図１３】
2006161432.tif 000015
【図１４】
2006161432.tif 000016
【図１５】
2006161432.tif 000017